(57)【要約】【課題】海外で人体局部洗浄装置を使用する場合、該人体局部洗浄装置のノズル等に目詰まりを生じさせないようにできる給水タンク装置を提供する。【解決手段】給水タンク装置１０は、上部に給水口２３ａを備えていて水を貯留するタンク２０と、吐出口４０ｂを備えた加圧ポンプ４０を備えている。加圧ポンプ４０は、駆動時にタンク２０の水を人体局部洗浄装置７０に向けて吐出口４０ｂ（吐水部）から吐出する。給水タンク装置１０は、加圧ポンプ４０の駆動と停止を選択的に行わせるトリガ出力部４４を有するとともに、加圧ポンプ４０の吐出口４０ｂの下流領域に設けられた逆止弁４５を有する。逆止弁４５は、加圧ポンプ４０が作動時には開弁し、加圧ポンプが停止時には閉弁する。【選択図】図１
0003204881.tif 000002
【実用新案登録請求の範囲】
【請求項１】
水洗便器用の人体局部洗浄装置に水洗用の水を供給する給水タンク装置であって、
上部に給水口を備えていて水を貯留するタンクと、
吐水部を備えた加圧ポンプであって、駆動時に、前記タンクの水を前記人体局部洗浄装置に向けて前記吐水部から吐出する加圧ポンプと、
前記加圧ポンプの駆動と停止を選択的に行わせるトリガ出力部と、
前記加圧ポンプの吐水部の下流領域に設けられた逆止弁であって、前記加圧ポンプが駆動時には開弁し、前記加圧ポンプが停止時には閉弁する逆止弁とを備えた給水タンク装置。
【請求項２】
前記タンクの給水口には、給水口フィルタが設けられている請求項１に記載の給水タンク装置。
【請求項３】
前記タンクの下部には、前記加圧ポンプへ該タンク内の水を送り出す送出口が設けられ、前記送出口には、送出口フィルタが設けられている請求項１または請求項２に記載の給水タンク装置。
【請求項４】
前記給水口フィルタは、前記タンクの給水口に対して着脱自在に取付けられている請求項２に記載の給水タンク装置。
【請求項５】
前記送出口フィルタは、前記タンクの送出口に対して着脱自在に取付けられている請求項３に記載の給水タンク装置。
【請求項６】
前記タンクの下部には、前記加圧ポンプへ該タンク内の水を送り出す送出口が設けられ、
前記給水口及び前記送出口には、給水口フィルタ及び送出口フィルタが、相互に同方向に着脱自在にそれぞれ取付けられており、
前記給水口フィルタと前記送出口フィルタとは、連結部材にて連結されている請求項１に記載の給水タンク装置。
【考案の詳細な説明】
【技術分野】
【０００１】
本考案は、水洗便器用の人体局部洗浄装置に給水を行う給水タンク装置に関する。
【背景技術】
【０００２】
近年、日本国内では、家庭用や公共施設の水洗便器に人体局部洗浄装置を付設したものが多くなっている（特許文献１参照）。人体局部洗浄装置は、便座と便蓋を開閉自在に備えるケーシングを備え、ケーシング内に、水道管に接続されるバルブユニットと該バルブユニットの下流に接続された温水タンクと、該温水タンクの下流に接続された局部洗浄用のノズルを備えている。
【０００３】
上記のようにバルブユニットには、給水源として水道を利用することが行われている。
【先行技術文献】
【特許文献】
【０００４】
【特許文献１】特開２００１−２３４５７１号公報
【考案の概要】
【考案が解決しようとする課題】
【０００５】
ところで、上記のような人体局部洗浄装置を、海外で使用する例が多くなってきており、この場合においても、人体局部洗浄装置は、日本国内と同様に水道管に接続することが行われている。
【０００６】
ところが、上記のように海外で使用される人体局部洗浄装置では、使用を開始してから、数ヶ月で前記バルブユニットやノズルに目詰まりを起こして使用できなくなる例が見られている。この理由は、水道水に不純物が混在していることが原因と見られている。
【０００７】
本考案の目的は、海外で人体局部洗浄装置を使用する場合、該人体局部洗浄装置のノズル等に目詰まりを生じさせないようにできる給水タンク装置を提供することにある。
【課題を解決するための手段】
【０００８】
上記課題を解決するために、本考案の給水タンク装置は、水洗便器用の人体局部洗浄装置に水洗用の水を供給する給水タンク装置であって、上部に給水口を備えていて水を貯留するタンクと、人を検出するセンサと、吐水部を備えた加圧ポンプであって、駆動時に前記タンクの水を前記人体局部洗浄装置に向けて前記吐水部から吐出する加圧ポンプと、前記加圧ポンプの駆動と停止を選択的に行わせるトリガ出力部と、前記加圧ポンプの吐水部の下流領域に設けられた逆止弁であって、前記加圧ポンプが駆動時には開弁し、前記加圧ポンプが停止時には閉弁する逆止弁とを備えるものである。
【０００９】
上記構成により、水道水を使用することなく、タンク内に異物が混入されていない貯留した清浄水を、加圧ポンプで人体局部洗浄装置に給水できるため、人体局部洗浄装置のノズル等に目詰まりを生じさせない。
【００１０】
また、前記タンクの給水口には、給水口フィルタが設けられていてもよい。
上記構成により、給水口を介してタンク内に給水される水に含まれている異物が給水口フィルタにより除去される。
【００１１】
また、前記タンクの下部には、前記加圧ポンプへ該タンク内の水を送り出す送出口が設けられ、前記送出口には、送出口フィルタが設けられていてもよい。
上記構成により、タンク内に誤って水に混入した異物が送出口フィルタにより除去される。
【００１２】
また、前記給水口フィルタは、前記タンクの給水口に対して着脱自在に取付けられていることが好ましい。
上記構成により、給水口フィルタを交換したり、或いは洗浄することができる。
【００１３】
また、前記送出口フィルタは、前記タンクの送出口に対して着脱自在に取付けられていることが好ましい。
上記構成により、送出口フィルタを交換したり、或いは洗浄することができる。
【００１４】
また、前記タンクの下部には、前記加圧ポンプへ該タンク内の水を送り出す送出口が設けられ、前記給水口及び前記送出口には、給水口フィルタ及び送出口フィルタが、相互に同方向に着脱自在にそれぞれ取付けられており、前記給水口フィルタと前記送出口フィルタとは、連結部材にて連結されていてもよい。
【００１５】
上記構成により、給水口フィルタと送出口フィルタを洗浄したり、交換するときに、同時に給水口フィルタと前記送出口フィルタをタンクから取外したり、同時にタンクに装着することが可能となる。
【考案の効果】
【００１６】
請求項１の考案によれば、水道水を使用することなく、タンク内に異物が混入されていない貯留した清浄水を、加圧ポンプで人体局部洗浄装置に給水できるため、人体局部洗浄装置のノズル等に目詰まりを生じさせないようにできる効果を奏する。
【００１７】
請求項２の考案によれば、給水口を介してタンク内に給水される水に含まれている異物が給水口フィルタにより除去できる。
請求項３の考案によれば、送出口から加圧ポンプへ供給される水に含まれている異物が送出口フィルタにより除去できる。
【００１８】
請求項４の考案によれば、給水口フィルタを交換したり、或いは洗浄することができる。
請求項５の考案によれば、送出口フィルタを交換したり、或いは洗浄することができる。
【００１９】
請求項６の考案によれば、給水口フィルタと送出口フィルタを洗浄したり、交換するときに、同時に給水口フィルタと前記送出口フィルタをタンクから取外したり、同時にタンクに装着することができる。
【図面の簡単な説明】
【００２０】
【図１】第１実施形態の給水タンク装置と、人体局部洗浄装置が付設された水洗便器の説明図。
【図２】給水タンク装置の断面図。
【図３】タンクの平面図。
【図４】（ａ）は逆止弁が開弁した状態の説明図、（ｂ）は逆止弁が閉弁した状態の説明図。
【図５】第２実施形態の給水タンク装置におけるタンクと加圧ポンプのレイアウトの説明図。
【図６】第３実施形態の給水タンク装置におけるタンクと加圧ポンプのレイアウトの説明図。
【考案を実施するための形態】
【００２１】
（第１実施形態）
以下、本考案の水洗便器用の人体局部洗浄装置に給水を行う給水タンク装置を、具体化した一実施形態を図１〜図４を参照して説明する。
【００２２】
図１、図２に示すように、給水タンク装置１０は、タンク２０と、加圧ポンプ４０と、加圧ポンプ４０を収納するとともに、タンク２０を支持したポンプ収納ケース３０とを備えている。タンク２０は、頂点が下方へ向いた逆四角錐状の底壁２１と、底壁２１から立設した四角筒状の側壁２２と、側壁２２の上端に一体に連結されて頂点が下方へ向いた逆四角錐状の天井壁２３とを備えている。なお、タンク２０の側壁２２の形状は、四角筒芸状に限定するものではなく、円筒形状等の他の筒形状であってもよい。
【００２３】
天井壁２３は、中央部にはタンク２０の内部空間と連通する給水口２３ａが形成されているとともに、中央部に行くほど下がるテーパ面２３ｂを有することにより、全体が漏斗状をなしている。
【００２４】
タンク２０の収納空間、すなわち、容積は、本実施形態では、例えば、１０リットル程度としているが、容積の数値は、この数値に限定するものではなく、この数値よりも多い容積でも、少ない容積でもよい。なお、容積を１０リットルとした場合は、１人が、最大０.４５リットル使用すると仮定した場合、２０数回程度の水を供給可能である。
【００２５】
給水口２３ａの内径は、後述する送出口フィルタ２６のフランジ２６ｂよりも大径に形成されている。給水口２３ａには、給水口フィルタ２４が着脱自在に嵌合されている。給水口フィルタ２４は、有底筒状部２４ａと、有底筒状部２４ａの上縁部に形成されたフランジ２４ｂを有しており、有底筒状部２４ａが給水口２３ａに嵌合された状態で、フランジ２４ｂが給水口２３ａの上縁部に係合されている。また、タンク２０の上部には、テーパ面２３ｂを覆うように蓋２５が着脱自在に被されている。
【００２６】
タンク２０の底壁２１は、中央部にはタンク２０の外部と連通する送出口２１ａが形成されているとともに、中央部に行くほど下がるテーパ面２１ｂを有することにより、全体が漏斗状をなしている。送出口２１ａには、送出口フィルタ２６が着脱自在に嵌合されている。送出口フィルタ２６は、有底筒状部２６ａと、有底筒状部２６ａの上縁部に形成されたフランジ２６ｂを有しており、有底筒状部２６ａが送出口２１ａに嵌合された状態で、フランジ２６ｂが送出口２１ａの上縁部に係合されている。
【００２７】
送出口フィルタ２６と給水口フィルタ２４とは、連結部材２７にて連結されている。連結部材２７は、例えば、針金等の軸線上において剛性を有する金属線でもよく、或いは可撓性を有した、ひも、ロープ等のひも状部材で構成してもよい。
【００２８】
送出口フィルタ２６は、給水口フィルタ２４を給水口２３ａから上方へ外した際に、連結部材２７により送出口２１ａから給水口フィルタ２４の外し方向と同方向である上方へ引き出されて、抜き出し可能となっている。そして、送出口フィルタ２６は、給水口２３ａを通過して、タンク２０外部へと除去可能となっている。この後、給水口フィルタ２４と送出口フィルタ２６は、新品と交換されて、連結部材２７にて相互に連結された状態で、前記と逆の順で送出口２１ａ及び給水口２３ａに装着可能となっている。
【００２９】
タンク２０は、側壁２２の下部周縁から下方へ突出された嵌合筒部２８がポンプ収納ケース３０の上部に形成された嵌合部３１に嵌合されている。なお、本実施形態では、嵌合筒部２８は四角筒状をなすが、四角筒状に限定するものではなく、円筒状等の他の筒形状でもよい。
【００３０】
ポンプ収納ケース３０は、四角板状の天板部３０ａと、天板部３０ａに上端が一体に連結された四角筒状の側壁３０ｂとから有蓋四角箱状に形成されている。また、ポンプ収納ケース３０の側壁３０ｂの下部開口は、側壁３０ｂの下端面に固定された四角板状のベース板３３により閉塞されている。
【００３１】
そして、前記嵌合部３１は、ポンプ収納ケース３０の天板部３０ａの上面から上方へ突出して四角筒状に形成されていて、前記嵌合筒部２８に対して内嵌されている。また、タンク２０は、嵌合筒部２８が天板部３０ａの上面に載置されていることにより、ポンプ収納ケース３０にて支持されている。
【００３２】
また、図１、図２に示すように、ポンプ収納ケース３０は、その側壁３０ｂ及びベース板３３に一体に取付けられた脚３５を介して、トイレの床面に設置されている。
図１、図２に示すように、加圧ポンプ４０はベース板３３に対して固定されている。加圧ポンプ４０は、ポンプケーシング４１内に図示しないモータ、ポンプ本体等を有しており、ポンプケーシング４１の上面からは前記ポンプ本体に接続された吸込口４０ａが突出されるとともに、一側面から吐水部としての吐出口４０ｂが突出されている。
【００３３】
加圧ポンプ４０は、トリガ出力部４４によるトリガの出力により、オンオフされ、駆動中は吐出口４０ｂの吐出圧力が所定の水圧範囲内にあるように、すなわち、人体局部洗浄装置７０が必要とする水圧範囲内にあるようにされている。
【００３４】
トリガ出力部４４は、本実施形態では、操作スイッチにて構成されており、操作スイッチがオンオフ操作されて出力するオン信号、またはオフ信号をトリガとすることにより、駆動または駆動停止される。操作スイッチは、手動操作タイプや、足で操作するフットスイッチであってもよい。また、トリガ出力部４４は、赤外センサ等の人が水洗便器６０の周囲にいることを検出する人感センサ（例えば、赤外センサ、超音波センサ、光電センサ等）で構成してもよい。この場合、人の有りの検出信号及び人がいないとする検出信号がトリガとなる。
【００３５】
吸込口４０ａは、前記タンク２０の送出口２１ａに接続された連結管４３に水密状に連結され、ポンプ本体がモータにより作動した際、送出口２１ａからタンク２０内の水を吸い込み可能となっている。図１、図２に示すように、連結管４３内には、前記送出口フィルタ２６が抜き出し自在に挿入されている。
【００３６】
図２、図４（ａ）、図４（ｂ）に示すように、吸込口４０ａには、シール材４６ａを介して連結管４６が接続されている。連結管４６と吸込口４０ａ間にシール材４６ａが介在れていることにより、両者間における漏水が防止されている。
【００３７】
連結管４６は、図１に示すように水洗便器６０に設けられた人体局部洗浄装置７０のバルブユニット７４に連結された接続管５０に接続されている。吐出口４０ｂの下流領域にあたる吐出口４０ｂの外端部には、逆止弁４５が設けられている。なお、吐出口４０ｂの下流領域は、吐出口４０ｂの外端部に限定するものではなく、該外端よりもさらに下流の部位（例えば、連結管４６、或いは接続管５０）に設けてもよい。
【００３８】
逆止弁４５の弁体４５ａは、加圧ポンプ４０の作動時に開弁して、吐出口４０ｂからの吐水を許容し、加圧ポンプ４０が停止時には、吐出口４０ｂの吐出圧が低下して、連結管４６を含む下流域の水圧が吐出口４０ｂからの吐出圧よりも高くなることにより閉弁し、人体局部洗浄装置７０側からの水が逆流するのを防止する。すなわち、連結管４６を含む下流域の水圧が低下するのを逆止弁４５により防止する。この逆止弁４５の閉弁により、加圧ポンプ４０の駆動停止状態では人体局部洗浄装置７０の使用が停止されているときにおける加圧が常に保持される。そして、この状態から、加圧ポンプ４０及び人体局部洗浄装置７０を再使用する際において、加圧ポンプ４０が駆動されると、連結管４６を含む下流域の水圧は、圧力が閉弁していた逆止弁４５により保持されていたので、常時安定した水圧の水を人体局部洗浄装置７０に供給できる。
【００３９】
人体局部洗浄装置７０は、水洗便器６０の便器本体６２に載置されている。人体局部洗浄装置７０は、便座７２と便蓋７３を開閉自在に備えるケーシング７１を備え、ケーシング７１内に、バルブユニット７４と該バルブユニット７４の下流に接続された図示しない温水タンクと、該温水タンクの下流に接続された図示しない局部洗浄用のノズルを備えている。前記温水タンクでは、貯留している水は、図示しないヒータにより加熱されて温水となる。前記バルブユニット７４は、一般的には、図示しない水道管に接続されるものであるが、本実施形態では、水道管の代わりに連結管４６に一端が接続された接続管５０に接続されている。なお、人体局部洗浄装置７０は公知の構成であるため、詳細説明を省略するが、人体局部洗浄装置７０は、ケーシング７１に設けられた操作部７５における人の操作に応じて、図示しない温水タンクに貯留された温水を前記ノズルから人体の局部に向けて噴出する。
【００４０】
（実施形態の作用）
次に、上記のように構成された給水タンク装置１０の作用を説明する。本実施形態の給水タンク装置１０は、仮に人体局部洗浄装置７０を水道管に接続した場合、早期に人体局部洗浄装置７０のノズル等が詰まる等の不具合を生じやすい地域において使用されることが好ましい装置である。
【００４１】
このような地域では、一般的にペットボトル等に入れた水（例えば、ミネラルウォータ）が市販されていることが多い。本実施形態の給水タンク装置１０は、このような市販されている水を、給水タンク装置１０に貯留する。すなわち、図１に示す蓋２５を取外した状態で、前記水を給水口フィルタ２４を介してタンク２０内に貯留する。なお、給水口フィルタ２４は、このように水をタンク２０内に入れる際に、前記水以外の異物の混入を防止するためのものである。水の貯留が完了後、蓋２５をタンク２０の上部に被せる。
【００４２】
また、図１に示すように、給水タンク装置１０は、連結管４６及び接続管５０を介して人体局部洗浄装置７０のバルブユニット７４に接続される。
図１に示す水洗便器６０を使用する人はトリガ出力部４４により、給水タンク装置１０の加圧ポンプ４０を駆動しておく、トリガ出力部４４が操作スイッチであれば、オン操作する。加圧ポンプ４０が駆動すると、タンク２０内の水は、送出口２１ａを介して加圧ポンプ４０により吸い込まれて、加圧されて吐出口４０ｂより吐水される。逆止弁４５の弁体４５ａは、このとき図４に示すように、開弁される。吐出口４０ｂから出た水は、連結管４６、接続管５０、及びバルブユニット７４を介して人体局部洗浄装置７０の図示しない温水タンクに供給され、温水タンク内で図示しないヒータにより加熱されて温水となる。
【００４３】
この状態で、水洗便器６０を使用する人は、人体局部洗浄装置７０の操作部７５を操作すると、図示しないノズルから温水タンク内の温水が噴出されて、その人の局部が洗浄される。
【００４４】
人体局部洗浄装置７０を人が使用後、トリガ出力部４４が操作スイッチであれば、その人がオフ操作することにより、或いはトリガ出力部４４が人感センサであれば、トリガ出力部４４がその人がいないことを検出した場合、加圧ポンプ４０の駆動が停止する。加圧ポンプ４０が停止すると、吐出口４０ｂの吐出圧が低下して、連結管４６を含む下流域の水圧が吐出口４０ｂからの吐出圧よりも高くなることにより逆止弁４５が閉弁し、人体局部洗浄装置７０側からの水が逆流するのを防止する。
【００４５】
さて、上記のように構成された給水タンク装置１０は下記の効果を有する。
（１）本実施形態の給水タンク装置１０は、上部に給水口２３ａを備えていて水を貯留するタンク２０と、吐出口４０ｂ（吐水部）を備えた加圧ポンプ４０を備えている。加圧ポンプ４０は、駆動時にタンク２０の水を人体局部洗浄装置７０に向けて吐出口４０ｂ（吐水部）から吐出する。
【００４６】
また、給水タンク装置１０は、加圧ポンプ４０の駆動と停止を選択的に行わせるトリガ出力部４４を有するとともに、加圧ポンプ４０の吐出口４０ｂ（吐水部）の下流領域に設けられた逆止弁４５を有する。逆止弁４５は、加圧ポンプ４０が作動時には開弁し、加圧ポンプが停止時には閉弁する。この結果、水道水を使用することなく、タンク内に異物が混入されていない貯留した清浄水を、加圧ポンプで人体局部洗浄装置に給水できるため、人体局部洗浄装置のノズル等に目詰まりを生じさせない効果を奏する。
【００４７】
（２）本実施形態の給水タンク装置１０では、タンク２０の給水口２３ａには、給水口フィルタ２４が設けられている。この結果、本実施形態では、給水口を介してタンク内に給水される水に含まれている異物を給水口フィルタにより除去できる。
【００４８】
（３）本実施形態の給水タンク装置１０では、タンク２０の下部には、加圧ポンプ４０へ該タンク２０内の水を送り出す送出口２１ａが設けられ、送出口２１ａには、送出口フィルタ２６が設けられている。
【００４９】
この結果、本実施形態では、誤って、タンク２０内に異物を送出口フィルタにより除去できる。
（４）本実施形態の給水タンク装置１０では、給水口フィルタ２４は、タンク２０の給水口２３ａに対して着脱自在に取付けられている。この結果、本実施形態によれば、給水口フィルタを交換したり、或いは洗浄することができる。
【００５０】
（５）本実施形態の給水タンク装置１０では、送出口フィルタ２６は、タンク２０の送出口２１ａに対して着脱自在に取付けられている。この結果、本実施形態では、送出口フィルタを交換したり、或いは洗浄することができる。
【００５１】
（６）本実施形態の給水タンク装置１０では、タンク２０の下部には、加圧ポンプ４０へ該タンク２０内の水を送り出す送出口２１ａが設けられ、給水口２３ａ及び送出口２１ａには、相互に同方向に着脱自在に取付けられた給水口フィルタ２４及び送出口フィルタ２６がそれぞれ設けられている。そして、給水口フィルタ２４と送出口フィルタ２６とは、連結部材２７にて連結されている。
【００５２】
この結果、本実施形態では、給水口フィルタと送出口フィルタを洗浄したり、交換するときに、同時に給水口フィルタと送出口フィルタをタンクから取外したり、同時にタンクに装着することができる。
【００５３】
（第２実施形態）
次に、第２実施形態を、図５を参照して説明する。なお、第２実施形態を含めた以下に説明する実施形態では、前記実施形態と同一構成については、同一符号を付し、異なる構成について説明する。図５は、タンク２０を簡略して図示したものであり、給水口２３ａの給水口フィルタ２４、吐出口４０ｂに設けられる逆止弁４５及び接続管５０は、便宜上、省略しているが、あるものと理解されたい。
【００５４】
第２実施形態では、第１実施形態の給水タンク装置１０の構成中、送出口２１ａ、送出口フィルタ２６及び連結部材２７がなく、加圧ポンプ４０がタンク２０内に配置されているところが、第１実施形態と異なっている。また、加圧ポンプ４０の吐出口４０ｂは、タンク２０の側壁２２から外部に突出されているところが、異なっている。このように、本実施形態では、タンク２０の天井壁２３に給水口２３ａを有し、送出口はない構成としている。
【００５５】
このようにタンク２０内に加圧ポンプ４０を配置しても、第１実施形態の（１）、（２）及び（４）の効果を得ることができる。
（第３実施形態）
次に、第３実施形態を図６を参照して説明する。
【００５６】
図６は、タンク２０を簡略して図示したものであり、給水口２３ａの給水口フィルタ２４、吐出口４０ｂに設けられる逆止弁４５、連結管４６、及び接続管５０は、便宜上、省略しているが、あるものと理解されたい。
【００５７】
第３実施形態では、第１実施形態の給水タンク装置１０の構成中、送出口２１ａ、送出口フィルタ２６及び連結部材２７がなく、加圧ポンプ４０がタンク２０内に配置されているところが、第１実施形態と異なっている。
【００５８】
また、加圧ポンプ４０の吐出口４０ｂに連結された連結管４６は、タンク２０の上部の天井壁２３を貫通して、タンク２０の上方から外部に配置されているところが第１実施形態と異なっている。
【００５９】
このようにタンク２０内に加圧ポンプ４０を配置しても、第１実施形態の（１）、（２）及び（４）の効果を得ることができる。
なお、本考案の実施形態は以下のように変更してもよい。
【００６０】
・前記実施形態の構成において、タンク２０に水位センサを設けてもよい。水位センサは、タンク２０内の貯留水が少量となったことを検出するものであり、水位センサがタンク２０内の貯留水が少量となったことを検出すると、ブザー、警告ランプ等の報知装置を作動させる。
【００６１】
・前記実施形態において、連結管４６と接続管５０とは区別せず一体に設けてもよい。
・第１乃至第３実施形態では、天井壁２３を有していたが、省略してもよい。この場合、給水口は、側壁２２の上部開口全体となる。また、この場合、給水口には、上部開口全体を覆う形状の給水口フィルタを設けることが好ましい。
【符号の説明】
【００６２】
１０…給水タンク装置、２０…タンク、
２１…底壁、２１ａ…送出口、２１ｂ…テーパ面、
２２…側壁、２３…天井壁、２３ａ…給水口、２３ｂ…テーパ面、
２４…給水口フィルタ、２４ａ…有底筒状部、２４ｂ…フランジ、
２５…蓋、２６…送出口フィルタ、
２６ａ…有底筒状部、２６ｂ…フランジ、２７…連結部材、
２８…嵌合筒部、３０…ポンプ収納ケース、３１…嵌合部、
３３…ベース板、３５…脚、４０…加圧ポンプ、４０ａ…吸込口、
４０ｂ…吐出口（吐水部）、４１…ポンプケーシング、４３…連結管、
４４…トリガ出力部、４５…逆止弁、４５ａ…弁体、４６…連結管、
５０…接続管、６０…水洗便器、６２…便器本体、
７０…人体局部洗浄装置、７１…ケーシング、７２…便座、７３…便蓋、
７４…バルブユニット、７５…操作部。
【図１】
0003204881.tif 000003
【図２】
0003204881.tif 000004
【図３】
0003204881.tif 000005
【図４】
0003204881.tif 000006
【図５】
0003204881.tif 000007
【図６】
0003204881.tif 000008